(57)【特許請求の範囲】
【請求項１】
ガス系消火設備が消火対象区画に消火剤ガスを放出するための噴射ヘッドであって、
消火剤ガスが供給される配管に接続されるとともに出口に連なるオリフィスを有する噴射ヘッド本体と、
噴射ヘッド本体における出口のある面に接するように配設された消音手段と、
消音手段からみて噴射ヘッド本体がある側とは反対側に配置され、噴射ヘッド本体との間に消音手段を介在させた状態で、消音手段を貫通するボルトにより噴射ヘッド本体に固定される固定部材とを備え、
消音手段は、消火剤ガスが流通可能な多孔性材料からなるブロック形状の消音部材を、出口から消火剤ガスが流出する方向に向かって積層してなるものであって、
消音部材は、中心部材、中心部材の外周側をカバーする周面部材及び中心部材と周面部材の端面をカバーする端面部材からなり、ボルトは周面部材及び端面部材を貫通するようにしてなり、
消音手段における噴射ヘッド本体と固定部材との間の側面及び固定部材側の端面は、固定部材に接する部分を除いて大気開放されている
ことを特徴とするガス系消火設備用の消音機能を有する噴射ヘッド。
【請求項２】
前記ボルトが貫通する周面部材及び端面部材の部位を、他の箇所より外周側に膨出した形状に形成してなることを特徴とする請求項１記載のガス系消火設備用の消音機能を有する噴射ヘッド。
【請求項３】
前記噴射ヘッド本体に、オリフィスを形成したオリフィス板を着脱可能に配設してなることを特徴とする請求項１又は２記載のガス系消火設備用の消音機能を有する噴射ヘッド。
【請求項４】
前記オリフィスの小径部側を消音手段に面するようにしてなることを特徴とする請求項１、２又は３記載のガス系消火設備用の消音機能を有する噴射ヘッド。
【請求項５】
前記消音部材を構成する多孔性材料の空隙の孔径を、気体が流通する方向に小さくしたことを特徴とする請求項１、２、３又は４記載のガス系消火設備用の消音機能を有する噴射ヘッド。
【請求項６】
消火剤ガスが放出される際に噴射ヘッドにかかる消火剤ガスの噴射反力Ｆと噴射ヘッドから放出される消火剤ガスの流量Ｑとが、式１及び式２の関係を満たすことを特徴とする請求項１、２、３、４又は５記載のガス系消火設備用の消音機能を有する噴射ヘッド。
Ｆ（ｋｇｆ）＝Ａ（ｋｇｆ・ｍｉｎ／ｍ３）・Ｑ（ｍ３／ｍｉｎ）  ・・・（式１）
Ａ（ｋｇｆ・ｍｉｎ／ｍ３）≦０．２  ・・・（式２）
【発明の詳細な説明】
【技術分野】
【０００１】
本発明は、窒素、二酸化炭素、フッ素化合物等の消火剤ガスを使用するガス系消火設備において、消火対象区画に消火剤ガスを放出するために天井や壁面等に設置される噴射ヘッドに関し、特に、消火剤ガスが放出される際に発生する騒音を低減できるようにしたガス系消火設備用の消音機能を有する噴射ヘッドに関するものである。
【背景技術】
【０００２】
窒素、二酸化炭素、フッ素化合物等の消火剤ガスを使用するガス系消火設備において、消火の際にガス系消火設備が作動すると、約１分間以内（フッ素化合物の消火剤ガスの場合は１０秒）で消火対象区画の消火剤ガス濃度が消火濃度に達するように、消火剤ガスが放出される。
【０００３】
このとき、消火剤ガスは、消火対象区画に消火剤ガスを放出するために天井や壁面等に設置される噴射ヘッドから放出されるが、ガス系消火設備用噴射ヘッドは、図１３（ａ）に示すような、消火剤ガスが供給される配管４０に接続された噴射ヘッド１０Ａの出口部にオリフィス２０を備え、オリフィス２０から消火剤ガスを直接消火対象区画に放出するようにしたものや、図１３（ｂ）に示すような、消火剤ガスが供給される配管４０に接続された噴射ヘッド１０Ｂの出口部にオリフィス２０及び円錐形状のデフレクタ（偏向部材）５０を備え、オリフィス２０から放出された消火剤ガスをデフレクタ（偏向部材）５０により偏向させて消火対象区画に放出するようにしたもの、さらには、図１３（ｃ）に示すような、噴射ヘッド１０Ｃの出口部にオリフィス（図示省略）及び円錐筒形状のホーン（拡散部材）６０を備え、オリフィスから放出された消火剤ガスをホーン（拡散部材）６０により拡散させて消火対象区画に放出するようにしたもの等が従来から汎用されてきた。
【０００４】
このように、上記従来のガス系消火設備用噴射ヘッド１０Ａ、１０Ｂ、１０Ｃは、消火対象区画に通常複数個設置される各々の噴射ヘッドから同じ量の消火剤ガスが放出されるようにするために、噴射ヘッドから放出される消火剤ガスの流量をオリフィス２０によって制限するようにしているが、このため、噴射ヘッドから消火剤ガスが放出される際に、高レベルの騒音（具体的には、１２０ｄｂ以上の騒音）が発生することが知られていた。
【０００５】
ところで、ガス系消火設備の作動時には、消火対象区画内に人が存在しないことが前提となっているため、噴射ヘッドから消火剤ガスが放出される際に発生する騒音（振動）に対しては、従来全く問題視されず、何の対策も取られていなかった。
【０００６】
しかしながら、最近になって、ガス系消火設備の作動時に消火対象区画内に逃げ遅れた人がいた場合の対処、また、噴射ヘッドから消火剤ガスが放出される際に発生する騒音が周囲にいる人に悪影響を及ぼすおそれがあること、さらには、騒音（振動）が情報通信機器等の精密機器の故障の要因になるなどの知見に基づき、消火剤ガスが放出される際に発生する騒音を低減するための技術が提案されてきた（例えば、特許文献１〜３参照。）。
【先行技術文献】
【特許文献】
【０００７】
【特許文献１】特開２０１１−１１５２５５号公報
【特許文献２】特開２０１１−１２５６７３号公報
【特許文献３】特開２０１１−２５５１５２号公報
【発明の概要】
【発明が解決しようとする課題】
【０００８】
このように、噴射ヘッドから消火剤ガスが放出される際に発生する騒音（「振動」を含み、以下、単に、「騒音」という。）に起因する問題に対処するための上記技術のうち、特許文献１に記載の技術は、消火設備を起動すべき場合に、消火設備の起動タイミングと、消火設備起動に伴うＩＣＴ装置の動作不良発生防止のための回避措置タイミングとを連動させるもので、騒音の低減を目的とするものではなかった。
一方、特許文献２及び３に記載の技術は、また、騒音の低減を目的とするものではあるが、騒音の低減率を高めるためには、噴射ヘッドを大型化する必要があり、設置場所の制約やコスト上昇の問題があった。
【０００９】
さらに、この種の噴射ヘッドにおいては、消火剤ガスが放出される際に、噴射ヘッドに消火剤ガスの大きな噴射反力がかかるため、噴射ヘッドを含む配管系を設置する建造物に十分な支持力を持たせる必要があり、この点でも、設置場所の制約やコスト上昇の問題につながっていた。
【００１０】
本発明は、上記従来のガス系消火設備用噴射ヘッドの問題点に鑑み、小型の噴射ヘッドによって、騒音の低減率を高めることができるとともに、消火剤ガスが放出される際に噴射ヘッドにかかる消火剤ガスの噴射反力を小さくすることができるようにしたガス系消火設備用噴射ヘッドを提供することを目的とする。
【課題を解決するための手段】
【００１１】
上記目的を達成するため、本発明のガス系消火設備用の消音機能を有する噴射ヘッドは、ガス系消火設備が消火対象区画に消火剤ガスを放出するための噴射ヘッドであって、消火剤ガスが供給される配管に接続されるとともに出口に連なるオリフィスを有する噴射ヘッド本体と、噴射ヘッド本体における出口のある面に接するように配設された消音手段と、消音手段からみて噴射ヘッド本体がある側とは反対側に配置され、噴射ヘッド本体との間に消音手段を介在させた状態で、消音手段を貫通するボルトにより噴射ヘッド本体に固定される固定部材とを備え、消音手段は、消火剤ガスが流通可能な多孔性材料からなるブロック形状の消音部材を、出口から消火剤ガスが流出する方向に向かって積層してなるものであって、消音部材は、中心部材、中心部材の外周側をカバーする周面部材及び中心部材と周面部材の端面をカバーする端面部材からなり、ボルトは周面部材及び端面部材を貫通するようにしてなり、消音手段における噴射ヘッド本体と固定部材との間の側面及び固定部材側の端面は、固定部材に接する部分を除いて大気開放されていることを特徴とする。
【００１２】
この場合において、前記ボルトが貫通する周面部材及び端面部材の部位を、他の箇所より外周側に膨出した形状に形成することができる。
【００１３】
また、前記噴射ヘッド本体に、オリフィスを形成したオリフィス板を着脱可能に配設することができる。
【００１４】
また、前記オリフィスの小径部側を消音手段に面するようにすることができる。
【００１５】
また、前記消音部材を構成する消音部材多孔性材料の空隙の孔径を、気体が流通する方向に小さくすることができる。
【００１６】
また、消火剤ガスが放出される際に噴射ヘッドにかかる消火剤ガスの噴射反力Ｆと噴射ヘッドから放出される消火剤ガスの流量Ｑとが、式１及び式２の関係を満たすようにすることができる。
Ｆ（ｋｇｆ）＝Ａ（ｋｇｆ・ｍｉｎ／ｍ３）・Ｑ（ｍ３／ｍｉｎ）  ・・・（式１）
Ａ（ｋｇｆ・ｍｉｎ／ｍ３）≦０．２  ・・・（式２）
【発明の効果】
【００１７】
本発明のガス系消火設備用の消音機能を有する噴射ヘッドによれば、消音部材の大気に開放される消火剤ガスの放出面積を大きく取ることができ、騒音の低減率を高めることができるとともに、消火剤ガスが放出される際に噴射ヘッドにかかる消火剤ガスの噴射反力を、消音部材の周面から放出される消火剤ガスの分が噴射ヘッド単位で相殺されることと相俟って、小さくすることができる。これにより、噴射ヘッドを小型化することが可能になるとともに、噴射ヘッドを含む配管系を設置する建造物に要求される支持力を小さくして、設置場所の制約やコスト上昇の問題を解消することができる。
【００１８】
そして、前記ボルトを、消音部材の内部を貫通して噴射ヘッド本体に螺着することにより、消音部材の大気に開放される消火剤ガスの放出面積を一層大きく取ることができ、騒音の低減率を高めることができるとともに、放出される消火剤ガスがボルトに干渉することによる騒音の発生を防止することができる。
【００１９】
また、前記ボルトが貫通する周面部材及び端面部材の部位を、他の箇所より外周側に膨出した形状に形成することにより、消音部材の大気に開放される消火剤ガスの放出面積をより一層大きく取ることができ、騒音の低減率を高めることができる。
【００２０】
また、前記噴射ヘッド本体に、オリフィスを形成したオリフィス板を着脱可能に配設することにより、複数種類のオリフィスを形成したオリフィス板を条件に応じて選択することができる。
【００２１】
また、前記オリフィスの小径部側を消音手段に面するようにすることにより、消音部材の中心部から周辺部に向けて消火剤ガスを均一に流通させることによって、消火剤ガスの放出部位で発生する騒音を均一にできることと相俟って、騒音の低減率を一層高めることができる。
【００２２】
また、多孔性材料の空隙の孔径を、気体が流通する方向に小さくすることにより、消音部材の各部位から消火剤ガスを均一に放出することによって、消火剤ガスの放出部位で発生する騒音を均一にできることと相俟って、騒音の低減率を一層高めることができる。
【００２３】
また、消火剤ガスが放出される際に噴射ヘッドにかかる消火剤ガスの噴射反力Ｆと噴射ヘッドから放出される消火剤ガスの流量Ｑとが、式１及び式２の関係を満たすようにすることにより、噴射ヘッドを含む配管系を設置する建造物に要求される支持力を小さくして、設置場所の制約やコスト上昇の問題を解消することができる。
【図面の簡単な説明】
【００２４】
【図１】本発明のガス系消火設備用の消音機能を有する噴射ヘッドの第１実施例を示す斜め下から見た斜視図である。
【図２】同正面図である。
【図３】同左側面図である。
【図４】同平面図である。
【図５】同底面図である。
【図６】図４のＸ−Ｘ断面図である。
【図７】消火剤ガスが放出される際に噴射ヘッドにかかる消火剤ガスの噴射反力Ｆと噴射ヘッドから放出される消火剤ガスの流量Ｑとの関係を示すグラフ図である。
【図８】本発明のガス系消火設備用の消音機能を有する噴射ヘッドの第２実施例を示す正面図である。
【図９】同左側面図である。
【図１０】同平面図である。
【図１１】同底面図である。
【図１２】図１０のＸ−Ｘ断面図である。
【図１３】従来のガス系消火設備用噴射ヘッドを示す説明図である。
【発明を実施するための形態】
【００２５】
以下、本発明のガス系消火設備用の消音機能を有する噴射ヘッドの実施の形態を、図面に基づいて説明する。
【実施例１】
【００２６】
図１〜図６に、本発明のガス系消火設備用の消音機能を有する噴射ヘッドの第１実施例を示す。
【００２７】
このガス系消火設備用の消音機能を有する噴射ヘッド１は、消火剤ガスを使用するガス系消火設備において消火対象区画に消火剤ガスを放出するために設置される噴射ヘッドであり、消火剤ガスが供給される配管（図示省略）に接続される噴射ヘッド本体２と、この噴射ヘッド本体２の内部空間に形成した段部２１に着脱可能に配設した複数のオリフィス３１を形成したオリフィス板３と、オリフィス３１の出口部に配設した気体が流通可能な多孔性材料からなるブロック形状の消音部材４と、ボルト５を介して噴射ヘッド本体２に消音部材４を固定するリング部材６とで構成されている。
【００２８】
この場合において、複数のオリフィス３１を形成したオリフィス板３を、噴射ヘッド本体２の内部空間に形成した段部２１に、例えば、段部２１及びオリフィス板３の周面に形成したねじを介して、着脱可能に配設するようにしているので、複数種類のオリフィス３１を形成したオリフィス板３を設置場所等の条件に応じて選択することができる。
なお、オリフィス板３を省略し、後述の第２実施例のように、噴射ヘッド本体２にオリフィス３１を直接形成することもできる。
【００２９】
また、オリフィス３１は、オリフィス３１の小径部３１ａ側を消音部材４に面するようにすることが好ましい。
これにより、消音部材４の中心部から周辺部に向けて消火剤ガスを均一に流通させることによって、消火剤ガスの放出部位で発生する騒音を均一にできることと相俟って、騒音の低減率を一層高めることができる。
【００３０】
多孔性材料からなるブロック形状の消音部材４は、一体構造のもので構成するほか、本実施例に示すように、中心部材４１、周面部材４２及び中心部材４１と周面部材４２の端面をカバーする端面部材４３からなる分割構造のもので構成することができる。
【００３１】
消音部材４を構成する多孔性材料は、形状保持性能の高い無機材料（金属、金属の酸化物、金属の水酸化物等）からなる焼結体を好適に用いることができる。
【００３２】
消音部材４を構成する多孔性材料の空隙の孔径は、全体を均質な材料で構成するほか、気体が流通する方向に変化させた材料、より具体的には、気体が流通する方向に小さくした材料で構成することができ、例えば、本実施例においては、中心部材４１の空隙の孔径よりも、周面部材４２及び端面部材４３の空隙の孔径が小さくなるような材料で構成することができる。
このように、消音部材４を構成する多孔性材料の空隙の孔径を、気体が流通する方向に小さくすることにより、消音部材４の各部位から消火剤ガスを均一に放出することによって、消火剤ガスの放出部位で発生する騒音を均一にできることと相俟って、騒音の低減率を一層高めることができる。
【００３３】
そして、消音部材４は、一体構造、分割構造のいずれの場合も、消音部材４の一方側の端面が噴射ヘッド本体２（本実施例においては、オリフィス板３を含む場合がある。）に接して配設されるとともに、消音部材４の周面及び他方側の端面が、ボルト５を介して噴射ヘッド本体２に消音部材４を固定するリング部材６に接する部分を除いて、大気に開放されてなるようにしている。
これにより、消音部材４の大気に開放される消火剤ガスの放出面積を大きく取ることができ、騒音の低減率を高めることができるとともに、消火剤ガスが放出される際に噴射ヘッド１にかかる消火剤ガスの噴射反力を、消音部材４の周面から放出される消火剤ガスの分が噴射ヘッド１の単位で相殺されることと相俟って、小さくすることができる。
【００３４】
この場合において、ボルト５を、消音部材４、本実施例においては、周面部材４２及び端面部材４３の内部を貫通して噴射ヘッド本体２に螺着することにより、消音部材４を、オリフィス板３に面するようにして、噴射ヘッド本体２に固定、一体化するようにしている。
これにより、消音部材４の大気に開放される消火剤ガスの放出面積を一層大きく取ることができ、騒音の低減率を高めることができるとともに、放出される消火剤ガスがボルト５に干渉することによる騒音の発生を防止することができる。
【００３５】
また、本実施例においては、ボルト５が貫通する消音部材４の部位、本実施例においては、周面部材４２及び端面部材４３の部位４２ａ、４３ａを、他の箇所より外周側に膨出した形状に形成するようにしている。
これにより、消音部材４の大気に開放される消火剤ガスの放出面積をより一層大きく取ることができ、騒音の低減率を高めることができる。
また、消音部材４を構成する多孔性材料を、板状の焼結体から切り出して作成する場合は、本実施例の形状（四角形に近似した形状）にすることによって、材料の無駄をなくすことができる利点もある。
【００３６】
ところで、本実施例の噴射ヘッド１において、消火剤ガスが放出される際に噴射ヘッドにかかる消火剤ガスの噴射反力Ｆと噴射ヘッドから放出される消火剤ガスの流量Ｑとは、式１及び式２の関係を満たすものとなる。
Ｆ（ｋｇｆ）＝Ａ（ｋｇｆ・ｍｉｎ／ｍ３）・Ｑ（ｍ３／ｍｉｎ）  ・・・（式１）
Ａ（ｋｇｆ・ｍｉｎ／ｍ３）≦０．２  ・・・（式２）
ここで、Ａは、噴射ヘッド及び消火剤ガスの種類によって決まる定数である。
なお、上記Ａの値は、好ましくは、０．１５以下、より好ましくは、０．１以下となるようにする。
【００３７】
図７に、３種類の噴射ヘッド（本実施例の噴射ヘッド１並びに図１３（ａ）及び（ｂ）の噴射ヘッド１０Ａ、１０Ｂ）について、消火剤ガスとして窒素を用いて測定した、消火剤ガスが放出される際に噴射ヘッドにかかる消火剤ガスの噴射反力Ｆと噴射ヘッドから放出される消火剤ガスの流量Ｑとの関係を示す。
図７に示す測定結果からも明らかなように、本実施例の噴射ヘッド１は、従来の噴射ヘッドと比較して、消火剤ガスが放出される際に噴射ヘッドにかかる消火剤ガスの噴射反力Ｆの大きさを、１／５〜１／１０程度まで軽減することができることを確認した。
なお、消火剤ガスとして二酸化炭素やフッ素化合物を用いた場合、Ａの値は、窒素＞フッ素化合物＞二酸化炭素の関係ではあるが、図７と同じ傾向を示す。
これにより、噴射ヘッド１を含む配管系を設置する建造物に要求される支持力を小さくして、設置場所の制約やコスト上昇の問題を解消することができる。
【００３８】
ところで、本実施例においては、ボルト５が貫通する消音部材４の部位を、他の箇所より外周側に膨出した形状に形成するようにしたが、図８〜図１２に示す、本発明のガス系消火設備用の消音機能を有する噴射ヘッドの第２実施例のように、均一な周面形状（円筒形状）とすることもできる。
なお、第２実施例の噴射ヘッド１のその他の構成及び作用は、第１実施例の噴射ヘッド１と同様である。
【００３９】
以上、本発明のガス系消火設備用の消音機能を有する噴射ヘッドについて、複数の実施例に基づいて説明したが、本発明は上記実施例に記載した構成に限定されるものではなく、その趣旨を逸脱しない範囲において適宜その構成を変更することができるものである。
【産業上の利用可能性】
【００４０】
本発明のガス系消火設備用の消音機能を有する噴射ヘッドは、小型の噴射ヘッドによって、騒音の低減率を高めることができるとともに、消火剤ガスが放出される際に噴射ヘッドにかかる消火剤ガスの噴射反力を小さくすることができることから、窒素、二酸化炭素、フッ素化合物等の消火剤ガスを使用するガス系消火設備の用途に広く用いることができ、適用対象も、新設のガス系消火設備に限定されず、噴射ヘッドを交換するだけで、既設のガス系消火設備にも適用することができる。
【符号の説明】
【００４１】
１    噴射ヘッド
２    噴射ヘッド本体
２１  段部
３    オリフィス板
３１  オリフィス
４    消音部材
４１  中心部材
４２  周面部材
４３  端面部材
５    ボルト
６    リング部材
【図１】
0005989591.tif 000002
【図２】
0005989591.tif 000003
【図３】
0005989591.tif 000004
【図４】
0005989591.tif 000005
【図５】
0005989591.tif 000006
【図６】
0005989591.tif 000007
【図７】
0005989591.tif 000008
【図８】
0005989591.tif 000009
【図９】
0005989591.tif 000010
【図１０】
0005989591.tif 000011
【図１１】
0005989591.tif 000012
【図１２】
0005989591.tif 000013
【図１３】
0005989591.tif 000014